(57)【要約】  【課題】本発明は、異なる第１、第２の放送方式で同時に放送された同一内容の第１、第２放送信号を各々受信することが可能であり、かつ、入力される選局命令が一方の放送信号選局用にのみ適合されたものであっても、当該選局命令を用いて他方の放送信号も適切に選局することが可能なチューナ装置を提供することを目的としている。  【解決手段】本発明のチューナ装置Ａは、ディジタル／アナログチューナ素子Ａ３、Ａ４と；外部選局命令ａと内部選局命令ｂ、ｃとが関連付けられた選局命令変換テーブルを格納するメモリ部Ａ８と；選局命令変換テーブルに基づいて外部選局命令ａを内部選局命令ｂ、ｃのいずれかに変換し、それをディジタル／アナログチューナ素子Ａ３、Ａ４に送出するマイクロプロセッサＡ７と；を有して成る構成としている。【選択図】      図１
2006094007.tif 000002
【特許請求の範囲】
【請求項１】
異なる第１、第２の放送方式で同時放送された同一内容の第１、第２放送信号を各々受信して所定の信号処理を施す第１、第２チューナ部と；装置外部からの外部選局命令と第１、第２放送信号の選局用に各々適合された第１、第２内部選局命令とが関連付けられた選局命令変換テーブルを格納するメモリ部と；前記選局命令変換テーブルに基づいて前記外部選局命令を第１、第２内部選局命令のいずれかに変換し、それを第１、第２チューナ部の対応する方に送出する選局制御部と；を有して成ることを特徴とするチューナ装置。
【請求項２】
前記選局制御部は、前記外部選局命令を受け付けた場合、第１、第２内部選局命令の一方を送出して、対応する放送信号の受信状態を検出し、その受信状態が正常であれば、当該内部選局命令の送出を継続する一方、その受信状態が正常でなければ、当該内部選局命令の送出を停止して、他方の内部選局命令を送出することを特徴とする請求項１に記載のチューナ装置。
【請求項３】
前記選局命令変換テーブルには、前記外部選局命令と第１、第２内部選局命令のほか、前回選局時に有効であった放送方式を示すフラグ情報が関連付けられており、前記選局制御部は、前記外部選局命令を受け付けた場合、前記フラグ情報に基づいて先に送出する内部選局命令を決定することを特徴とする請求項２に記載のチューナ装置。
【請求項４】
駆動が必要とされるチューナ部については、その電力供給を行う一方、駆動が必要とされていないチューナ部については、その電力供給を遮断するように、第１、第２チューナ部への電力供給を制御する電力供給制御部を有して成ることを特徴とする請求項１〜請求項３のいずれかに記載のチューナ装置。
【請求項５】
装置外部のモニタ装置から前記外部選局命令を無線受信する一方、第１、第２チューナ部で得られた第１、第２放送信号を前記モニタ装置に対して無線送信する無線通信部を有して成ることを特徴とする請求項１〜請求項４のいずれかに記載のチューナ装置。
【請求項６】
第１、第２の放送方式は、一方がディジタル放送方式、他方がアナログ放送方式であることを特徴とする請求項１〜請求項５のいずれかに記載のチューナ装置。
【発明の詳細な説明】
【技術分野】
【０００１】
本発明は、異なる放送方式で同時に放送された同一内容の放送信号を各々受信するチューナ装置に関するものである。
【背景技術】
【０００２】
近年、チューナ装置とモニタ装置（液晶ディスプレイやプラズマディスプレイなど）とが互いに分離されて成るセパレート型のテレビジョン放送受信機が普及し始めている。このようなセパレート型のテレビビジョン放送受信機は、アンテナ線やＡＶ機器配線などの雑多な配線接続をＡＶコントローラとなるチューナ装置に全て集約し、モニタ装置への配線数を削減することができるので、モニタ装置周辺の美観を損ねることがなく、また、その配置レイアウトの自由度を高めることが可能となる。
【０００３】
なお、従来より、セパレート型の地上アナログテレビジョン放送受信機の多くは、図８に示すように、リモートコントローラＤからの各種ユーザ操作（選局操作を含む）をモニタ装置Ｂに設けられたリモコン受信部Ｂ５で受け付ける構成とされており、モニタ装置Ｂのコントロール部Ｂ４は、上記のユーザ操作に応じてモニタ装置Ｂ各部の統括制御（映像出力部Ｂ１の画質調整、音声出力部Ｂ２の音量調節、及び、受信信号処理部Ｂ３の信号処理制御など）を行うほか、ユーザの選局操作に応じた選局命令ａを生成してチューナ装置Ｘに送出する構成とされていた。一方、チューナ装置Ｘは、アナログチューナ素子Ｘ１や音声処理部Ｘ２を有して成り、モニタ装置Ｂのコントロール部Ｂ４から入力される選局命令ａに基づいて、アンテナＣで受信された地上アナログテレビジョン放送信号の選局処理や音声処理を行う構成とされていた。
【０００４】
また、最近では、現行の地上アナログテレビジョン放送と並行して、新たに地上ディジタルテレビジョン放送が開始されたことに伴い、上記チューナ装置として、６［ＭＨｚ］セパレーションで放送されるアナログ／ディジタル両放送方式の地上テレビジョン放送信号を各々受信可能なものも種々開示・提案されている（例えば、特許文献１を参照）。
【０００５】
その他、本願発明に関連のある従来技術（異なる放送方式で同時に放送された同一内容の放送信号を各々受信するチューナ装置に関連のある従来技術）としては、第１の送信形態で送信された放送信号の受信状態が不良と検出された場合に、マルチ放送が行われている第２の送信形態で送信された放送信号に切り換えて放送受信を継続するディジタル放送受信装置が開示・提案されている（例えば、特許文献２を参照）。
【特許文献１】特開２００３−３０９７７６号公報
【特許文献２】特開２００３−１９８３９６号公報
【発明の開示】
【発明が解決しようとする課題】
【０００６】
確かに、図８に示したテレビジョン放送受信機であれば、チューナ装置Ｘとモニタ装置Ｂとが互いに分離されて成るセパレート型でありながら、広く一般に普及しているチューナ一体型のテレビジョン放送受信機と同様、モニタ装置Ｂに対して選局操作を行うことができるので、ユーザにとって操作の違和感がなく、非常に使い勝手がよい。
【０００７】
また、既設のチューナ装置Ｘに代えて、上記のアナログ／ディジタル両放送方式に対応したチューナ装置を接続すれば、現行の地上アナログテレビジョン放送だけでなく、新たに開始された地上ディジタルテレビジョン放送も視聴することも可能となる。
【０００８】
しかしながら、従来の地上アナログテレビジョン放送受信機では、モニタ装置Ｂからチューナ装置Ｘへの選局命令ａとして、地上アナログテレビジョン放送信号の選局用に適合された受信周波数情報（一般にはアナログチューナ素子Ｘ１の内部局部発振信号を制御するＰＬＬ［Phase Locked Loop］回路のプリスケーラ値）しか送出されないのに対し、アナログ／ディジタル両放送方式に対応した従来のチューナ装置は、その選局命令として、地上アナログテレビジョン放送信号の選局用に適合された受信周波数情報のほか、地上ディジタルテレビジョン放送信号の選局用に適合された受信周波数情報についても、個別に入力を必要とする構成とされていた。
【０００９】
そのため、アナログ放送方式のみに対応したチューナ装置Ｘに代えて、アナログ／ディジタル両放送方式に対応した従来のチューナ装置をモニタ装置Ｂに接続した場合、既設の選局命令ａが地上ディジタルテレビジョン放送信号の選局用として適合せず、モニタ装置Ｂを含めたテレビジョン放送受信機のセット全体を入れ替えない限り、モニタ装置Ｂから地上ディジタルテレビジョン放送信号の選局操作を行うことができない、という課題があった。すなわち、地上ディジタルテレビジョン放送信号の選局操作は、新設のチューナ装置に対して直接行わねばならず、ユーザにとって操作性が悪い上、テレビジョン放送受信機の配置レイアウトにも制約が生じる、という課題があった。
【００１０】
なお、特許文献２の従来技術は、受信障害発生時の継続視聴実現を目的とするものに過ぎず、セパレート型のチューナ装置において、既設の選局命令を用いながらアナログ／ディジタル両放送方式の選局を行うことについては、何ら開示・言及されていなかった。
【００１１】
本発明は、上記の問題点に鑑み、異なる第１、第２の放送方式で同時に放送された同一内容の第１、第２放送信号を各々受信することが可能であり、かつ、入力される選局命令が一方の放送信号選局用にのみ適合されたものであっても、当該選局命令を用いて他方の放送信号も適切に選局することが可能なチューナ装置を提供することを目的としている。
【課題を解決するための手段】
【００１２】
上記の目的を達成すべく、本発明に係るチューナ装置は、異なる第１、第２の放送方式で同時放送された同一内容の第１、第２放送信号を各々受信して所定の信号処理を施す第１、第２チューナ部と；装置外部からの外部選局命令と第１、第２放送信号の選局用に各々適合された第１、第２内部選局命令とが関連付けられた選局命令変換テーブルを格納するメモリ部と；前記選局命令変換テーブルに基づいて前記外部選局命令を第１、第２内部選局命令のいずれかに変換し、それを第１、第２チューナ部の対応する方に送出する選局制御部と；を有して成る構成としている。このような構成であれば、異なる第１、第２の放送方式で同時に放送された同一内容の第１、第２放送信号を各々受信することが可能であり、かつ、入力される外部選局命令が一方の放送信号選局用にのみ適合されたものであっても、当該外部選局命令を用いて他方の放送信号も適切に選局することが可能となる。
【００１３】
なお、上記構成から成るチューナ装置において、前記選局制御部は、前記外部選局命令を受け付けた場合、第１、第２内部選局命令の一方を送出して、対応する放送信号の受信状態を検出し、その受信状態が正常であれば、当該内部選局命令の送出を継続する一方、その受信状態が正常でなければ、当該内部選局命令の送出を停止して、他方の内部選局命令を送出する構成にするとよい。このような構成とすることにより、選択した放送方式による放送信号の受信状態が正常でなくても、その受信対象をもう一方の放送方式による放送信号に切り換えて、所望番組の視聴を試みることが可能となる。
【００１４】
また、上記構成から成るチューナ装置において、前記選局命令変換テーブルには、前記外部選局命令と第１、第２内部選局命令のほか、前回選局時に有効であった放送方式を示すフラグ情報を関連付けておき、前記選局制御部は、前記外部選局命令を受け付けた場合に、前記フラグ情報に基づいて先に送出する内部選局命令を決定する構成にするとよい。このような構成とすることにより、選局に要する時間を短縮することが可能となる。
【００１５】
また、上記構成から成るチューナ装置は、駆動が必要とされるチューナ部については、その電力供給を行う一方、駆動が必要とされていないチューナ部については、その電力供給を遮断するように、第１、第２チューナ部への電力供給を制御する電力供給制御部を有して成る構成にするとよい。このような構成とすることにより、余分な電力消費を抑えることができる上、第１、第２チューナ部相互間の電磁干渉（機内妨害）も防止することが可能となる。
【００１６】
また、上記構成から成るチューナ装置は、装置外部のモニタ装置から前記外部選局命令を無線受信する一方、第１、第２チューナ部で得られた第１、第２放送信号を前記モニタ装置に対して無線送信する無線通信部を有して成る構成にするとよい。このような構成とすることにより、チューナ装置とモニタ装置とを完全に分離して成るセパレート型のテレビビジョン放送受信機を構築することが可能となる。従って、アンテナ線やＡＶ機器配線などの雑多な配線接続をＡＶコントローラとなるチューナ装置に全て集約し、モニタ装置への配線数を削減することができるので、モニタ装置周辺の美観を損ねることがなく、また、その配置レイアウトの自由度を高めることが可能となる。
【００１７】
なお、上記構成から成るチューナ装置において、第１、第２の放送方式は、一方がディジタル放送方式、他方がアナログ放送方式である構成にするとよい。このような構成とすることにより、ディジタル／アナログ両放送方式で同時に放送された同一内容の放送信号を各々受信することが可能であり、かつ、入力される外部選局命令がアナログ放送信号選局用にのみ適合されたものであっても、当該外部選局命令を用いて、ディジタル放送信号も適切に選局することが可能となる。
【発明の効果】
【００１８】
上記した通り、本発明に係るチューナ装置であれば、異なる第１、第２の放送方式で同時に放送された同一内容の第１、第２放送信号を各々受信することが可能であり、かつ、入力される選局命令が一方の放送信号選局用にのみ適合されたものであっても、当該選局命令を用いて他方の放送信号も適切に選局することが可能となる。
【発明を実施するための最良の形態】
【００１９】
以下では、ディジタル／アナログ両放送方式で同時放送された同一内容の地上テレビジョン放送信号を各々受信することが可能なサイマル放送対応のテレビジョン放送受信機に本発明を適用した場合を例に挙げて、本発明の詳細な説明を行う。
【００２０】
図１は本発明に係るテレビジョン放送受信機の第１実施形態を示すブロック図である。本図に示すように、本実施形態のテレビジョン放送受信機は、チューナ装置Ａとモニタ装置Ｂ（液晶ディスプレイやプラズマディスプレイなど）とが互いに分離されて成るセパレート型である。なお、本図中において、実線矢印は、受信信号の伝達経路を示しており、破線矢印は、選局命令ａ〜ｃ及び制御命令ｄ〜ｆの伝達経路を示している。また、先端が黒塗り三角とされた実線矢印は、駆動電力の供給経路を示しており、先端が白抜き三角とされた実線矢印は、受信状態検出信号ｘの伝達経路を示している。
【００２１】
チューナ装置Ａは、電源部Ａ１と、アンテナ切換部Ａ２と、ディジタルチューナ素子Ａ３と、アナログチューナ素子Ａ４と、信号系統切換部Ａ５と、電力供給制御部Ａ６と、マイクロプロセッサＡ７と、メモリ部Ａ８と、を有して成る。
【００２２】
電源部Ａ１は、商用交流電圧（例えば、交流１００［Ｖ］）から装置各部の直流駆動電圧（例えば、直流３［Ｖ］、直流５「Ｖ」、及び、直流２４［Ｖ」）を生成するマルチ出力型のダウンコンバータである。
【００２３】
アンテナ切換部Ａ２は、マイクロプロセッサＡ７からの制御命令ｄに基づいて、アンテナＣで得られた受信信号をディジタルチューナ素子Ａ３及びアナログチューナ素子Ａ４のいずれか一方に選択出力する手段である。
【００２４】
ディジタルチューナ素子Ａ３は、マイクロプロセッサＡ７からの第１内部選局命令ｂに基づいて、アンテナ切換部Ａ２から入力された受信信号に所定の信号処理を施す手段である。その内部回路構成についてより詳細に述べると、ディジタルチューナ素子Ａ３は、受信信号から目的の周波数帯域信号を抽出して中間周波数信号に周波数変換するチューナ回路部と、当該チューナ回路部で得られた中間周波数信号にディジタル復調処理を施すＯＦＤＭ［Orthogonal Frequency Division Multiplex］復調回路部と、当該ＯＦＤＭ復調回路部で得られた復調信号を音声信号と映像信号に分離変換する音声映像処理回路部と、を１チップＩＣにパッケージングして成る構成とされている。また、ディジタルチューナ素子Ａ３は、地上ディジタルテレビジョン放送信号の受信状態検出信号ｘとして、ＭＰＥＧ［Moving Picture Experts Group］ロック信号を生成し、当該信号をマイクロプロセッサＡ７に送出する機能も具備している。
【００２５】
アナログチューナ素子Ａ４は、マイクロプロセッサＡ７からの第２内部選局命令ｃに基づいてアンテナ切換部Ａ２から入力された受信信号に所定の信号処理を施す手段である。その内部回路構成についてより詳述すると、アナログチューナ素子Ａ４は、受信信号から目的の周波数帯域信号を抽出して中間周波数信号に周波数変換するチューナ回路部と、当該チューナ回路部で得られた中間周波数信号を音声信号と映像信号に分離変換する音声映像処理部と、を１チップＩＣにパッケージングして成る構成とされている。
【００２６】
信号系統切換部Ａ５は、マイクロプロセッサＡ７からの制御命令ｅに基づいて、ディジタルチューナ素子Ａ３及びアナログチューナ素子Ａ４のいずれか一方で得られた音声信号と映像信号をモニタ装置Ｂの受信信号処理部Ｂ３に選択出力する手段である。
【００２７】
電力供給制御部Ａ６は、電源部Ａ１からディジタルチューナ素子Ａ３及びアナログチューナ素子Ａ４への各電力供給経路を閉結／開放するスイッチ手段を有して成り、マイクロプロセッサＡ７からの制御命令ｆに基づいて、ディジタルチューナ素子Ａ３及びアナログチューナ素子Ａ４への電力供給を制御する手段である。
【００２８】
マイクロプロセッサＡ７は、制御命令ｄ〜ｆを送出して装置各部の動作制御を行う統括制御部としての機能を備えるほか、後述する選局命令変換テーブルに基づいて、モニタ装置Ｂからの外部選局命令ａを第１、第２内部選局命令ｂ、ｃのいずれかに変換し、それをディジタルチューナ素子Ａ３及びアナログチューナ素子Ａ４の対応する方に送出する選局制御部としての機能も備えている。なお、マイクロプロセッサＡ７を用いた選局制御動作については、後ほど詳細な説明を行う。
【００２９】
メモリ部Ａ８は、フラッシュメモリ等の書換え可能な不揮発性記憶素子から成り、図２に示すように、モニタ装置Ｂ（コントロール部Ｂ４）からの外部選局命令ａ（Ｃｈ−１〜６２、Ｃｈ−Ｃ１〜Ｃ６２）と、ディジタル／アナログ両地上テレビジョン放送信号の選局用に各々適合された第１内部選局命令ｂ（ＤＧ−１〜６２、ＤＧ−Ｃ１〜Ｃ６２）及び第２内部選局命令ｃ（ＡＮ−１〜６２、ＡＮ−Ｃ１〜Ｃ６２）と、が関連付けられた選局命令変換テーブルを格納する手段である。例えば、Ｃｈ−１を示す外部選局命令ａに対しては、ＤＧ−１（ｍ−３［ＭＨｚ］〜ｍ＋３［ＭＨｚ］）を示す第１内部選局命令ｂと、ＡＮ−１（ｎ−３［ＭＨｚ］〜ｎ＋３［ＭＨｚ］）を示す第２内部選局命令ｃが各々対応しており、以降の外部選局命令ａと第１、第２内部選局命令ｂ、ｃとの間にも、同様の相関関係が成立している。なお、図１では、メモリ部Ａ８を単独のブロックとして図示したが、本発明の構成はこれに限定されるものではなく、マイクロプロセッサＡ７内のＲＯＭ［Read Only Memory］などを流用してもよい。
【００３０】
一方、モニタ装置Ｂは、先出の図８に示した従来構成と同様、リモートコントローラＤからの各種ユーザ操作（選局操作を含む）をリモコン受信部Ｂ５で受け付ける構成とされており、コントロール部Ｂ４は、上記のユーザ操作に応じてモニタ装置Ｂ各部の統括制御（映像出力部Ｂ１の画質調整、音声出力部Ｂ２の音量調節、及び、受信信号処理部Ｂ３の信号処理制御など）を行うほか、ユーザの選局操作に応じた外部選局命令ａを生成してチューナ装置Ａに送出する構成とされている。なお、上記の外部選局命令ａとしては、地上アナログテレビジョン放送信号の選局用に適合された受信周波数情報のみが送出される。すなわち、本実施形態のテレビジョン放送受信機では、その映像／音声出力手段として、既設のモニタ装置Ｂがそのまま流用されている。
【００３１】
上記構成から成るテレビジョン放送受信機の選局動作についての詳細な説明を行う。図３は、第１実施形態における選局動作の一例を示すフローチャートである。
【００３２】
モニタ装置Ｂからチューナ装置Ａに対して外部選局命令ａが送出されると、ステップＳ１−１では、マイクロプロセッサＡ７による当該外部選局命令ａの受信処理が行われる。
【００３３】
次に、ステップＳ１−２では、マイクロプロセッサＡ７からアンテナ切換部Ａ２、信号系統切換部Ａ５、及び、電力供給制御部Ａ６に対して、各々制御命令ｄ〜ｆが送出され、各回路部の初期設定が行われる。具体的に述べると、アンテナ切換部Ａ２に対しては、アンテナＣで得られた受信信号をディジタルチューナ素子Ａ３に選択出力するように制御命令ｄが与えられ、信号系統切換部Ａ５に対しては、ディジタルチューナ素子Ａ３で得られた音声信号と映像信号をモニタ装置Ｂの受信信号処理部Ｂ３に選択出力するように制御命令ｅが与えられる。また、電力供給制御部Ａ６に対しては、ディジタルチューナ素子Ａ３への電力供給をオン、アナログチューナ素子Ａ４への電力供給をオフとするように制御命令ｆが与えられる。このような初期設定を行うことにより、アナログ放送方式に比べて復調信号が劣化しにくいディジタル放送方式の選局動作が優先されることになる。
【００３４】
続いて、ステップＳ１−３では、マイクロプロセッサＡ７による選局命令変換処理が行われる。具体的に述べると、マイクロプロセッサＡ７では、メモリ部Ａ８の選局命令変換テーブルに基づいて、モニタ装置Ｂからの外部選局命令ａが第１内部選局命令ｂに変換され、当該第１内部選局命令ｂがディジタルチューナ素子Ａ３に対して送出される。
【００３５】
その後、ステップＳ１−４にて所定時間（例えば５０［ｍｓ］程度）が待機された後、ステップＳ１−５では、ＭＰＥＧロック信号から成る受信状態検出信号ｘに基づいて、マイクロプロセッサＡ７による地上ディジタルテレビジョン放送信号の受信状態検出処理が行われる。ここで、その受信状態が正常であると判定された場合には、地上ディジタルテレビジョン放送の視聴が可能であるという判断の下、第１内部選局命令ｂの送出が継続され、上記一連の選局処理が終了される。一方、その受信状態が正常でないと判定された場合には、フローがステップＳ１−６に進められる。
【００３６】
上記ステップＳ１−５にて、地上ディジタルテレビジョン放送信号の受信状態が正常でないと判定された場合、ステップＳ１−６では、地上ディジタルテレビジョン放送の視聴が不可能であるという判断の下、第１内部選局命令ｂの送出が停止されるとともに、マイクロプロセッサＡ７からアンテナ切換部Ａ２、信号系統切換部Ａ５、及び電力供給制御部Ａ６に対して、各々制御命令ｄ〜ｆが送出され、受信対象の切換設定が行われる。具体的に述べると、アンテナ切換部Ａ２に対しては、アンテナＣで得られた受信信号をアナログチューナ素子Ａ４に選択出力するように制御命令ｄが与えられ、信号系統切換部Ａ５に対しては、アナログチューナ素子Ａ４で得られた音声信号と映像信号をモニタ装置Ｂの受信信号処理部Ｂ３に選択出力するように制御命令ｅが与えられる。また、電力供給制御部Ａ６に対しては、ディジタルチューナ素子Ａ３への電力供給をオフ、アナログチューナ素子Ａ４への電力供給をオンとするように制御命令ｆが与えられる。
【００３７】
続いて、ステップＳ１−７では、マイクロプロセッサＡ７による選局命令変換処理が行われる。具体的に述べると、マイクロプロセッサＡ７では、メモリ部Ａ８の選局命令変換テーブルに基づいて、モニタ装置Ｂからの外部選局命令ａが第２内部選局命令ｃに変換され、当該第２内部選局命令ｃがアナログチューナ素子Ａ４に対して送出される。なお、その後は継続的に第２内部選局命令ｃが送出され、上記一連の選局処理が終了される。
【００３８】
上記したように、本実施形態のチューナ装置Ａは、ディジタル／アナログチューナ素子Ａ３、Ａ４と、外部選局命令ａと第１、第２内部選局命令ｂ、ｃとが関連付けられた選局命令変換テーブルを格納するメモリ部Ａ８と、選局命令変換テーブルに基づいて外部選局命令ａを第１、第２内部選局命令ｂ、ｃのいずれかに変換し、それをディジタル／アナログチューナ素子Ａ３、Ａ４に送出するマイクロプロセッサＡ７と、を有して成る構成としている。このような構成とすることにより、ディジタル／アナログ両放送方式で同時に放送された同一内容の地上テレビジョン放送信号を各々受信することが可能であり、かつ、入力される外部選局命令ａが地上アナログテレビジョン放送信号の選局用にのみ適合されたものであっても、当該外部選局命令ａを用いて、地上ディジタルテレビジョン放送信号も適切に選局することが可能となる。
【００３９】
また、本実施形態のチューナ装置Ａにおいて、マイクロプロセッサＡ７は、外部選局命令ａを受け付けた場合、第１、第２内部選局命令ｂ、ｃの一方を送出して、対応する地上テレビジョン放送信号の受信状態を検出し、その受信状態が正常であれば、当該内部選局命令の送出を継続する一方、その受信状態が正常でなければ、当該内部選局命令の送出を停止して、他方の内部選局命令を送出する構成としている。このような構成とすることにより、選択した放送方式による地上テレビジョン放送信号の受信状態が正常でなくても、その受信対象をもう一方の放送方式による地上テレビジョン放送信号に切り換えて、所望番組の視聴を試みることが可能となる。
【００４０】
また、本実施形態のチューナ装置Ａは、駆動が必要とされるチューナ素子については、その電力供給を行う一方、駆動が必要とされていないチューナ素子については、その電力供給を遮断するように、ディジタル／アナログ両チューナ素子Ａ３、Ａ４への電力供給を制御する電力供給制御部Ａ６を有して成る構成としている。このような構成とすることにより、余分な電力消費を抑えることができる上、ディジタル／アナログ両チューナ素子Ａ３、Ａ４相互間の電磁干渉（機内妨害）も防止することが可能となる。
【００４１】
次に、本発明に係るテレビジョン放送受信機の第２実施形態について説明する。なお、本実施形態のテレビジョン放送受信機は、前出の第１実施形態（図１参照）とほぼ同様の構成から成り、同期分離部Ａ９を有して成る点、メモリ部Ａ８に格納される選局命令変換テーブルの内容、及び、マイクロプロセッサＡ７を用いた選局制御動作に特徴を有するものである。そこで、第１実施形態と同様の構成部分については、図１と同一の符号を付すことで説明を省略し、以下では、本実施形態の特徴部分についてのみ、詳細な説明を行うことにする。
【００４２】
本図に示す通り、本実施形態のチューナ装置Ａは、先述の回路要素Ａ１〜Ａ８に加え、地上アナログテレビジョン放送信号の受信状態検出信号ｙとして、アナログコンポジット映像信号から分離される水平／垂直同期信号に基づいて同期判別信号を生成し、当該信号をマイクロプロセッサＡ７に送出する同期分離部Ａ９を有して成る構成としている。
【００４３】
また、メモリ部Ａ８に格納される選局命令変換テーブルには、図５に示すように、外部選局命令ａと第１、第２内部選局命令ｂ、ｃのほか、前回選局時に有効であった放送方式を示す有効方式フラグ（ディジタル／アナログ）が関連付けられている。
【００４４】
上記構成から成るテレビジョン放送受信機の選局動作についての詳細な説明を行う。図６は、第２実施形態における選局動作の一例を示すフローチャートである。
【００４５】
モニタ装置Ｂからチューナ装置Ａに対して外部選局命令ａが送出されると、ステップＳ２−１では、マイクロプロセッサＡ７による当該外部選局命令ａの受信処理が行われる。
【００４６】
次に、ステップＳ２−２では、マイクロプロセッサＡ７により、メモリ部Ａ８の選局命令変換テーブルに基づいて、外部選局命令ａに対応する有効方式フラグが読み出され、続くステップＳ２−３では、当該有効方式フラグに基づいて、前回選局時に有効であった放送方式がディジタル／アナログいずれの放送方式であるかについて判定処理が行われる。ここで、前回選局時にディジタル放送方式が有効であったと判定された場合には、フローがステップＳ２−４に進められ、前回選局時にアナログ放送方式が有効であったと判定された場合には、フローがステップＳ２−１３に進められる。
【００４７】
ステップＳ２−３にて、前回選局時にディジタル放送方式が有効であったと判定された場合、ステップＳ２−４では、マイクロプロセッサＡ７からアンテナ切換部Ａ２、信号系統切換部Ａ５、及び、電力供給制御部Ａ６に対して、各々制御命令ｄ〜ｆが送出され、ディジタル方式による選局準備設定が行われる。具体的に述べると、アンテナ切換部Ａ２に対しては、アンテナＣで得られた受信信号をディジタルチューナ素子Ａ３に選択出力するように制御命令ｄが与えられ、信号系統切換部Ａ５に対しては、ディジタルチューナ素子Ａ３で得られた音声信号と映像信号をモニタ装置Ｂの受信信号処理部Ｂ３に選択出力するように制御命令ｅが与えられる。また、電力供給制御部Ａ６に対しては、ディジタルチューナ素子Ａ３への電力供給をオン、アナログチューナ素子Ａ４への電力供給をオフとするように制御命令ｆが与えられる。
【００４８】
続いて、ステップＳ２−５では、マイクロプロセッサＡ７による選局命令変換処理が行われる。具体的に述べると、マイクロプロセッサＡ７では、メモリ部Ａ８の選局命令変換テーブルに基づいて、モニタ装置Ｂからの外部選局命令ａが第１内部選局命令ｂに変換され、当該第１内部選局命令ｂがディジタルチューナ素子Ａ３に対して送出される。
【００４９】
その後、ステップＳ２−６にて所定時間（例えば５０［ｍｓ］程度）が待機された後、ステップＳ２−７では、ＭＰＥＧロック信号から成る受信状態検出信号ｘに基づいて、マイクロプロセッサＡ７による地上ディジタルテレビジョン放送信号の受信状態検出処理が行われる。ここで、その受信状態が正常であると判定された場合には、地上ディジタルテレビジョン放送の視聴が可能であるという判断の下、第１内部選局命令ｂの送出が継続され、選局命令変換テーブルの有効方式フラグは、ディジタル放送方式を示す状態のまま、上記一連の選局処理が終了される。一方、その受信状態が正常でないと判定された場合には、フローがステップＳ２−８に進められる。
【００５０】
上記ステップＳ２−７にて、地上ディジタルテレビジョン放送信号の受信状態が正常でないと判定された場合、ステップＳ２−８では、地上ディジタルテレビジョン放送の視聴が不可能であるという判断の下、第１内部選局命令ｂの送出が停止されるとともに、マイクロプロセッサＡ７からアンテナ切換部Ａ２、信号系統切換部Ａ５、及び電力供給制御部Ａ６に対して、各々制御命令ｄ〜ｆが送出され、受信対象の切換設定が行われる。具体的に述べると、アンテナ切換部Ａ２に対しては、アンテナＣで得られた受信信号をアナログチューナ素子Ａ４に選択出力するように制御命令ｄが与えられ、信号系統切換部Ａ５に対しては、アナログチューナ素子Ａ４で得られた音声信号と映像信号をモニタ装置Ｂの受信信号処理部Ｂ３に選択出力するように制御命令ｅが与えられる。また、電力供給制御部Ａ６に対しては、ディジタルチューナ素子Ａ３への電力供給をオフ、アナログチューナ素子Ａ４への電力供給をオンとするように制御命令ｆが与えられる。
【００５１】
続いて、ステップＳ２−９では、マイクロプロセッサＡ７による選局命令変換処理が行われる。具体的に述べると、マイクロプロセッサＡ７では、メモリ部Ａ８の選局命令変換テーブルに基づいて、モニタ装置Ｂからの外部選局命令ａが第２内部選局命令ｃに変換され、当該第２内部選局命令ｃがアナログチューナ素子Ａ４に対して送出される。
【００５２】
その後、ステップＳ２−１０で所定時間（例えば５０［ｍｓ］程度）が待機された後、ステップＳ２−１１では、同期判別信号から成る受信状態検出信号ｙに基づいて、マイクロプロセッサＡ７による地上アナログテレビジョン放送信号の受信状態検出処理が行われる。ここで、その受信状態が正常であると判定された場合には、地上アナログテレビジョン放送の視聴が可能であるという判断の下、第２内部選局命令ｃの送出が継続され、ステップＳ２−１２にて、選局命令変換テーブルの有効方式フラグがアナログ放送方式を示す状態に書き換えられた後、上記一連の選局処理が終了される。一方、その受信状態が正常でないと判定された場合には、ステップＳ２−１２がスキップされ、選局命令変換テーブルの有効方式フラグが書き換えられることなく、上記一連の選局処理が終了される。
【００５３】
一方、ステップＳ２−３にて、前回選局時にアナログ放送方式が有効であったと判定された場合、ステップＳ２−１３では、マイクロプロセッサＡ７からアンテナ切換部Ａ２、信号系統切換部Ａ５、及び、電力供給制御部Ａ６に対して、各々制御命令ｄ〜ｆが送出され、アナログ方式による選局準備設定が行われる。具体的に述べると、アンテナ切換部Ａ２に対しては、アンテナＣで得られた受信信号をアナログチューナ素子Ａ４に選択出力するように制御命令ｄが与えられ、信号系統切換部Ａ５に対しては、アナログチューナ素子Ａ４で得られた音声信号と映像信号をモニタ装置Ｂの受信信号処理部Ｂ３に選択出力するように制御命令ｅが与えられる。また、電力供給制御部Ａ６に対しては、ディジタルチューナ素子Ａ３への電力供給をオフ、アナログチューナ素子Ａ４への電力供給をオンとするように制御命令ｆが与えられる。
【００５４】
続いて、ステップＳ２−１４では、マイクロプロセッサＡ７による選局命令変換処理が行われる。具体的に述べると、マイクロプロセッサＡ７では、メモリ部Ａ８の選局命令変換テーブルに基づいて、モニタ装置Ｂからの外部選局命令ａが第２内部選局命令ｃに変換され、当該第２内部選局命令ｃがアナログチューナ素子Ａ４に対して送出される。
【００５５】
その後、ステップＳ２−１５で所定時間（例えば５０［ｍｓ］程度）が待機された後、ステップＳ２−１６では、同期判別信号から成る受信状態検出信号ｙに基づいて、マイクロプロセッサＡ７による地上アナログテレビジョン放送信号の受信状態検出処理が行われる。ここで、その受信状態が正常であると判定された場合には、地上アナログテレビジョン放送の視聴が可能であるという判断の下、第２内部選局命令ｃの送出が継続され、選局命令変換テーブルの有効方式フラグは、アナログ放送方式を示す状態のまま、上記一連の選局処理が終了される。一方、その受信状態が正常でないと判定された場合には、フローがステップＳ２−１７に進められる。
【００５６】
上記ステップＳ２−１６にて、地上アナログテレビジョン放送信号の受信状態が正常でないと判定された場合、ステップＳ２−１７では、地上アナログテレビジョン放送の視聴が不可能であるという判断の下、第２内部選局命令ｃの送出が停止されるとともに、マイクロプロセッサＡ７からアンテナ切換部Ａ２、信号系統切換部Ａ５、及び電力供給制御部Ａ６に対して、各々制御命令ｄ〜ｆが送出され、受信対象の切換設定が行われる。具体的に述べると、アンテナ切換部Ａ２に対しては、アンテナＣで得られた受信信号をディジタルチューナ素子Ａ３に選択出力するように制御命令ｄが与えられ、信号系統切換部Ａ５に対しては、ディジタルチューナ素子Ａ３で得られた音声信号と映像信号をモニタ装置Ｂの受信信号処理部Ｂ３に選択出力するように制御命令ｅが与えられる。また、電力供給制御部Ａ６に対しては、ディジタルチューナ素子Ａ３への電力供給をオン、アナログチューナ素子Ａ４への電力供給をオフとするように制御命令ｆが与えられる。
【００５７】
続いて、ステップＳ２−１８では、マイクロプロセッサＡ７による選局命令変換処理が行われる。具体的に述べると、マイクロプロセッサＡ７では、メモリ部Ａ８の選局命令変換テーブルに基づいて、モニタ装置Ｂからの外部選局命令ａが第１内部選局命令ｂに変換され、当該第１内部選局命令ｂがディジタルチューナ素子Ａ３に対して送出される。
【００５８】
その後、ステップＳ２−１９で所定時間（例えば５０［ｍｓ］程度）が待機された後、ステップＳ２−２０では、ＭＰＥＧロック信号から成る受信状態検出信号ｘに基づいて、マイクロプロセッサＡ７による地上ディジタルテレビジョン放送信号の受信状態検出処理が行われる。ここで、その受信状態が正常であると判定された場合には、地上ディジタルテレビジョン放送の視聴が可能であるという判断の下、第１内部選局命令ｂの送出が継続され、ステップＳ２−２１にて、選局命令変換テーブルの有効方式フラグがディジタル放送方式を示す状態に書き換えられた後、上記一連の選局処理が終了される。一方、その受信状態が正常でないと判定された場合には、ステップＳ２−２１がスキップされ、選局命令変換テーブルの有効方式フラグが書き換えられることなく、上記一連の選局処理が終了される。
【００５９】
上記したように、本実施形態のチューナ装置Ａにおいて、選局命令変換テーブルには、外部選局命令ａと第１、第２内部選局命令ｂ、ｃのほか、前回選局時に有効であった放送方式を示すフラグ情報が関連付けられており、マイクロプロセッサＡ７は、外部選局命令ａを受け付けた場合に、前記フラグ情報に基づいて先に送出する内部選局命令を決定する構成としている。このような構成とすることにより、該当チャンネルで受信可能な放送方式が前回の選局時と同じ（大抵は同じ）であれば、１回の作業で有効信号を検出し、その選局処理を終了することができるので、選局に要する時間を短縮することが可能となる。
【００６０】
最後に、本発明に係るテレビジョン放送受信機の第３実施形態についての説明を行う。なお、本実施形態のテレビジョン放送受信機は、前出の第１、第２実施形態（図１、図４参照）とほぼ同様の構成から成り、チューナ装置Ａとモニタ装置Ｂを有線接続ではなく、無線接続して成る点に特徴を有するものである。そこで、第１、第２実施形態と同様の構成部分については、図１、図４と同一の符号を付すことで説明を省略し、以下では、本実施形態の特徴部分についてのみ、詳細な説明を行うことにする。
【００６１】
本図に示すように、本実施形態のチューナ装置Ａは、モニタ装置Ｂの無線通信部Ｂ６から外部選局命令ａを無線受信する一方、ディジタルチューナ素子Ａ３若しくはアナログチューナ素子Ａ４で得られた音声信号及び映像信号をモニタ装置Ｂの無線通信部Ｂ６に対して無線送信する無線通信部Ａ１０を有して成る構成としている。なお、無線通信部Ａ１０と無線通信部Ｂ６相互間の無線通信方式としては、２．４［ＧＨｚ］帯や５［ＧＨｚ］帯の電波を用いるスペクトル拡散方式等を採用すればよい。このような構成とすることにより、チューナ装置Ａとモニタ装置Ｂを完全に分離して成るセパレート型のテレビビジョン放送受信機を構築することが可能となる。従って、アンテナ線やＡＶ機器配線などの雑多な配線接続をＡＶコントローラとなるチューナ装置Ａに全て集約し、モニタ装置Ｂへの配線数を削減することができるので、モニタ装置Ｂ周辺の美観を損ねることがなく、また、その配置レイアウトの自由度を高めることが可能となる。
【００６２】
なお、上記各実施形態では、サイマル放送対応のテレビジョン放送受信機に本発明を適用した場合を例に挙げて説明を行ったが、本発明の適用対象はこれに限定されるものではなく、異なる第１、第２の放送方式で同時に放送された同一内容の第１、第２放送信号を各々受信するチューナ装置全般に広く適用することが可能である。
【００６３】
また、上記各実施形態では、セパレート型のテレビジョン放送受信機に本発明を適用した場合を例示して説明を行ったが、本発明の適用対象はこれに限定されるものではなく、チューナ装置のみを換装することが可能なチューナ一体型のテレビジョン放送受信機にも適用することが可能である。
【００６４】
また、上記各実施形態では、選局命令変換テーブルがメモリ部Ａ８に予め格納されている場合を例に挙げて説明を行ったが、本発明の構成はこれに限定されるものではなく、例えば、チューナ装置の初回起動時に受信可能チャンネルの検索を行い、その検索結果に基づいて選局命令変換テーブルを生成・格納する構成としてもよい。このような構成とすることにより、上記で述べた効果のほか、ユーザの転居等に伴い、チューナ装置の設置場所がチャンネル構成の異なる他の地域に移動された場合であっても、何ら問題を生じることなく上記選局処理を行うことが可能となる。
【００６５】
また、上記各実施形態では、ディジタル／アナログ両入力系統を１つずつ有して成る構成を例に挙げて説明を行ったが、本発明の構成はこれに限定されるものではなく、各入力系統を複数有し、いわゆる選択ダイバーシティ受信や合成ダイバーシティ受信が可能な構成としても構わない。
【００６６】
また、本発明の構成は、上記各実施形態のほか、発明の主旨を逸脱しない範囲で種々の変更を加えることが可能である。
【産業上の利用可能性】
【００６７】
本発明は、特に、モニタ装置とチューナ装置が互いに分離されて成るセパレート型のテレビジョン放送受信機に好適な技術である。
【図面の簡単な説明】
【００６８】
【図１】は、本発明に係るテレビジョン放送受信機の第１実施形態を示すブロック図である。
【図２】は、第１実施形態における選局命令変換テーブルの一例を示す図である。
【図３】は、第１実施形態における選局動作の一例を示すフローチャートである。
【図４】は、本発明に係るテレビジョン放送受信機の第２実施形態を示すブロック図である。
【図５】は、第２実施形態における選局命令変換テーブルの一例を示す図である。
【図６】は、第２実施形態における選局動作の一例を示すフローチャートである。
【図７】は、本発明に係るテレビジョン放送受信機の第３実施形態を示すブロック図である。
【図８】は、テレビジョン放送受信機の一従来形態を示すブロック図である。
【符号の説明】
【００６９】
Ａ    チューナ装置
Ａ１    電源部
Ａ２    アンテナ切換部
Ａ３    ディジタルチューナ素子
Ａ４    アナログチューナ素子
Ａ５    信号系統切換部
Ａ６    電力供給制御部
Ａ７    マイクロプロセッサ
Ａ８    メモリ部
Ａ９    同期分離部
Ａ１０    無線通信部
Ｂ    モニタ装置
Ｂ１    映像出力部
Ｂ２    音声出力部
Ｂ３    受信信号処理部
Ｂ４    コントロール部
Ｂ５    リモコン受信部
Ｂ６    無線通信部
Ｃ    アンテナ
Ｄ    リモートコントローラ
ａ    外部選局命令
ｂ    第１内部選局命令
ｃ    第２内部選局命令
ｄ〜ｆ    制御命令
ｘ、ｙ    受信状態検出信号
【図１】
2006094007.tif 000003
【図２】
2006094007.tif 000004
【図３】
2006094007.tif 000005
【図４】
2006094007.tif 000006
【図５】
2006094007.tif 000007
【図６】
2006094007.tif 000008
【図７】
2006094007.tif 000009
【図８】
2006094007.tif 000010